(57)【要約】      （修正有）【課題】歌唱している利用者本人に対しては自らの歌唱音声と歌唱アシスト情報とが紛らわしくなく、それぞれが明瞭に聞こえるようにして効果的に歌唱アシストを受けることができ、他者に対しては利用者の歌唱音声だけを聞けることができるようにする手段およびこれを用いたカラオケシステムの提供。【解決手段】カラオケマイクに、骨伝導スピーカと、利用者がマイク本体を握った際、利用者の手の甲と骨伝導スピーカとが対接するように骨伝導スピーカを保持する骨伝導スピーカ保持体とを含んでなる骨伝導手段を付帯させ、このカラオケマイクを利用し、ガイドメロディや模範ボーカル音声といった歌唱アシスト情報を提供できるようにした。【選択図】図１
2005242054.tif 000002
【特許請求の範囲】
【請求項１】
利用者の歌唱音声をカラオケ演奏装置に転送するためのカラオケマイクにおいて、所定の歌唱アシスト情報を伝達するための骨伝導スピーカと、利用者がマイク本体を握った際に、利用者の手の甲と前記骨伝導スピーカとが対接するように前記骨伝導スピーカを保持する骨伝導スピーカ保持体とを含んでなる骨伝導手段を付帯したことを特徴とするカラオケマイク。
【請求項２】
前記骨伝導スピーカ保持体とマイク本体とを接合し、伸縮ないし変形自在で、その伸張時ないし変形時には、当該骨伝導スピーカ保持体を当該マイク本体側に押圧するように作用する弾性接合体をさらに含んでなる骨伝導手段を付帯したことを特徴とする請求項１記載のカラオケマイク。
【請求項３】
請求項１記載ないし請求項２記載のカラオケマイクを利用したカラオケシステムであって、前記歌唱アシスト情報が、所定のカラオケ楽曲におけるガイドメロディないし模範ボーカル音声であって、当該歌唱アシスト情報を前記骨伝導手段を介して利用者に伝達することを特徴とするカラオケシステム。
【発明の詳細な説明】
【技術分野】
【０００１】
本発明は、利用者の歌唱音声をカラオケ演奏装置に転送するためのカラオケマイクに関し、さらに詳しくは、所定の歌唱アシスト情報を伝達するための骨伝導手段を付帯したカラオケマイクに関する。
【背景技術】
【０００２】
現在、カラオケ利用者に様々な歌唱アシスト情報を提供し、利用者の歌唱をアシストするカラオケシステムが開発されている。例えば、カラオケ演奏装置には、通常、利用者が音程を外さないように、歌唱を誘導するガイドメロディを発する機能が付帯されている。この機能では、利用者が歌い慣れていない曲や歌唱が非常に難しい曲を歌う際、歌唱している最中に歌い方が分からなくなって伴奏音楽について行けなくなった場合は、曲の主旋律がしっかり聞き取れるようにガイドメロディの音量を大きくした方が歌い易くなるので好ましい。反面、ガイドメロディの音量は相対的に小さくした方あるいは無い方が、歌唱楽音がプロ風に聞こえる点で好ましい。このような要望に応えるべく、従来では様々な技術が開発されてきた。例えば、特許文献１では、利用者の操作によりガイドメロディを再生できるカラオケ演奏装置について開示されている。また、特許文献２では、リアルタイムで歌唱状況を分析し、主旋律を外して歌ってしまった場合に自動的にガイドメロディを強調するカラオケ演奏装置が開示されている。
【０００３】
また、上記と同様に、利用者が伴奏音楽について行けない時に模範ボーカル音声を流すようにしたカラオケ演奏装置が登場している。このようなカラオケ演奏装置に関する技術としては、例えば、特許文献３では、カラオケマイクからの歌唱入力の有無を検出し、その歌唱入力が無かった場合に模範ボーカル音声を流す仕組みが開示されている。また、特許文献４では、カラオケマイクからの入力音量を測定してこの入力音量が伴奏音楽の音量に比べて小さい時に、その不足分を補うような音量で模範ボーカル音声を流すようにしたカラオケ演奏装置が開示されている。その他、カラオケマイクからの入力音量に対して所定の係数で反比例した音量でガイドメロディや模範ボーカル音声を流すようにしたカラオケ演奏装置なども想到されている。
【特許文献１】特開平０８−１３７４８３号公報
【特許文献２】特開平０９−１３４１８１号公報
【特許文献３】特開平０３−２９５９８号公報
【特許文献４】特開平０４−２９８７９３号公報
【発明の開示】
【発明が解決しようとする課題】
【０００４】
しかしながら、このような従来技術では、例えば、ガイドメロディは利用者の歌唱音声と同様に、必ず、カラオケ演奏装置が具備するスピーカから発せられるため、他者にもガイドメロディの音量変化が伝えられてしまい、他者にとっては不快に感じ取られることがある。また、模範ボーカル音声は利用者の歌唱音声と同様に、カラオケ演奏装置が具備するスピーカから発せられるため、他者にも模範ボーカル音声が聞こえてしまい、人に聞かれて利用者が恥ずかしく思う場合がある。また、模範ボーカル音声が発せられると、模範ボーカル音声と歌唱音声とが混合し、模範ボーカル音声と歌唱音声とが紛らわしく聞こえるため好ましくない。
【０００５】
このような問題に対して、例えば、歌唱アシスト情報を専用の頭部装着型（ヘッドホン様態）の音圧式スピーカから発するようにして、これを利用者が使用することで、他者には歌唱アシスト情報が聞こえないようにする手法も考えられるが、利用者の耳を塞ぐヘッドホンを付けた状態では、今度は利用者にとってカラオケ演奏装置が具備するスピーカから発する自らの歌唱音声を聞き取り難くなって好ましくない。
【０００６】
本発明は、このような不都合や問題を解決するために想到されたもので、すなわち、歌唱している利用者本人に対しては、自らの歌唱音声と歌唱アシスト情報とが紛らわしくなく、それぞれが明瞭に聞こえるようにして効果的に歌唱アシストを受けることができると共に、他者に対しては利用者の歌唱音声だけを聞けるようにすることができる手段およびこれを用いたカラオケシステムの提供を課題とする。
【課題を解決するための手段】
【０００７】
上記課題を鑑み、本発明者は、人の骨を介して音声や楽音が伝達する技術である骨伝導技術をカラオケマイクに採用し、これを握る利用者の手の甲へ歌唱アシスト情報を好適に伝達できる技術を想到した。すなわち、骨伝導スピーカと、利用者がマイク本体を握った際に、利用者の手の甲と骨伝導スピーカとが対接するように骨伝導スピーカを保持する骨伝導スピーカ保持体を付帯したカラオケマイクと、このカラオケマイクを利用し、ガイドメロディや模範ボーカル音声といった歌唱アシスト情報を提供できるようにしたカラオケシステムによって、上記課題を解決できることを見出し、本発明のカラオケマイクおよびこれを用いたカラオケシステムを想到した。
【０００８】
すなわち、本発明の請求項１記載のカラオケマイクは、利用者の歌唱音声をカラオケ演奏装置に転送するためのカラオケマイクにおいて、所定の歌唱アシスト情報を伝達するための骨伝導スピーカと、利用者がマイク本体を握った際に、利用者の手の甲と前記骨伝導スピーカとが対接するように前記骨伝導スピーカを保持する骨伝導スピーカ保持体とを含んでなる骨伝導手段を付帯したことを特徴とする。
【０００９】
また、本発明の請求項２記載のカラオケマイクは、請求項１記載のカラオケマイクにおいて、前記骨伝導スピーカ保持体とマイク本体とを接合し、伸縮ないし変形自在で、その伸張時ないし変形時には、当該骨伝導スピーカ保持体を当該マイク本体側に押圧するように作用する弾性接合体をさらに含んでなる骨伝導手段を付帯したことを特徴とする。
【００１０】
さらに、本発明の請求項３記載のカラオケシステムは、請求項１記載ないし請求項２記載のカラオケマイクを利用したカラオケシステムであって、前記歌唱アシスト情報が、所定のカラオケ楽曲におけるガイドメロディないし模範ボーカル音声であって、当該歌唱アシスト情報を前記骨伝導手段を介して利用者に伝達することを特徴とする。
【発明の効果】
【００１１】
本発明の請求項１記載のカラオケマイクによれば、利用者がマイク本体を握った際に、所定の歌唱アシスト情報を伝達するための骨伝導スピーカを利用者の手の甲と対接するように構成したことで、利用者の手の甲から好適に歌唱アシスト情報を伝達でき、歌唱している利用者本人に対しては自らの歌唱音声と歌唱アシスト情報とが紛らわしくなく、それぞれが明瞭に聞こえるようになり、他者に対しては利用者の歌唱音声だけを聞けるようにできるといった効果を奏する。
【００１２】
また、本発明の請求項２記載のカラオケマイクによれば、骨伝導スピーカ保持体を含めてマイク本体側に押圧するように作用する弾性接合体によって、利用者がカラオケマイクを握った際に、手の甲と骨伝導スピーカとが十分に密着されることで伝達効率が向上し、利用者の手の甲からさらに好適に歌唱アシスト情報を伝達できるといった効果を奏する。
【００１３】
さらに、本発明の請求項３記載のカラオケシステムによれば、請求項１記載ないし請求項２記載のカラオケマイクの骨伝導手段を利用して、所定のカラオケ楽曲におけるガイドメロディや模範ボーカル音声を利用者に伝達できるため、歌唱している利用者本人に対しては自らの歌唱音声と歌唱アシスト情報とが紛らわしくなく、それぞれが明瞭に聞こえるため効果的に歌唱アシストを受けることができ、他者に対しては利用者の歌唱音声だけを聞けるようにすることができるといった効果を奏する。
【発明を実施するための最良の形態】
【００１４】
以下、本発明におけるカラオケマイクの好適な実施例を挙げ、本発明を詳述する。
【実施例１】
【００１５】
図１は本発明の一実施例におけるカラオケマイクの構成例（イ）と使用例（ロ）の説明図である。先ず、その（イ）に示すように、本実施例におけるカラオケマイク（１）は、採音部キャップ（３）、マイク本体（２）、電源スイッチ（４）、接続ケーブル（５）および骨伝導手段（６）を主な構成要件としている。なお、本発明における骨伝導技術とは現在公知のもので良く、人の骨を介して音声や楽音などの振動波が伝導し、脳に情報が伝達されるものであって、骨伝導スピーカが利用者自身の骨に接していれば情報が伝達されるものの、他者はこの情報を聞くことができない。通常は頭蓋骨や下顎骨などの骨を介して情報を伝達するものが一般的であるが、最近では手の甲からも情報が伝達できるまでに性能が向上している。
【００１６】
本実施例の骨伝導手段（６）は、所定の歌唱アシスト情報を伝達するための骨伝導スピーカ（６ａ）と、その使用例（ロ）が示すように、利用者がマイク本体（２）を握った際に、利用者の手の甲（Ｈ）と骨伝導スピーカ（６ａ）とが対接するように骨伝導スピーカ（６ａ）を保持する骨伝導スピーカ骨伝導スピーカ保持体（６ｂ）と、骨伝導スピーカ骨伝導スピーカ保持体（６ｂ）の片側担縁部で当該骨伝導スピーカ骨伝導スピーカ保持体（６ｂ）とマイク本体（２）とを接合し、変形自在で、その変形時には骨伝導スピーカ骨伝導スピーカ保持体（６ｂ）をマイク本体（２）側に押圧するように作用する弾性接合体（６ｃ）と、接続コード（６ｄ）などから構成されている。
【００１７】
本実施例では弾性接合体（６ｃ）は「Ｕの字」状の板バネであり、利用者の手の厚さにより、「Ｕの字」が広がって変形した場合、当然、その変形時には、弾性接合体（６ｃ）は骨伝導スピーカ骨伝導スピーカ保持体（６ｂ）をマイク本体（２）側に押圧するように作用するため、その間に挟持された利用者の手の甲（Ｈ）と骨伝導スピーカ（６ａ）とが十分に密着されることになり、その骨に好適に歌唱アシスト情報を伝達できる。
【実施例２】
【００１８】
次に、図２は本発明の他の実施例におけるカラオケマイクの構成例（イ）と使用例（ロ）の説明図であるが、先ず、その（イ）に示すように、本実施例におけるカラオケマイク（１）は、図１におけるのと同様に、採音部キャップ（３）、マイク本体（２）、電源スイッチ（４）、情報伝達ケーブル（５）および骨伝導手段（６）を主な構成要件としている。
【００１９】
本実施例の骨伝導手段（６）は、所定の歌唱アシスト情報を伝達するための骨伝導スピーカ（６ａ）と、その使用例（ロ）が示すように、利用者がマイク本体（２）を握った際に、利用者の手の甲（Ｈ）と骨伝導スピーカ（６ａ）とが対接するように骨伝導スピーカ（６ａ）を保持する骨伝導スピーカ骨伝導スピーカ保持体（６ｂ）と、骨伝導スピーカ骨伝導スピーカ保持体（６ｂ）の両側担縁部で当該骨伝導スピーカ骨伝導スピーカ保持体（６ｂ）とマイク本体（２）とを接合し、伸縮自在で、その伸縮時には骨伝導スピーカ骨伝導スピーカ保持体（６ｂ）をマイク本体（２）側に押圧するように作用する弾性接合体（６ｃ）と、接続コード（６ｄ）などから構成されている。
【００２０】
本実施例では弾性接合体（６ｃ）はコイル状のバネであり、利用者の手の厚さにより、コイルが広がって伸張した場合、当然、その伸張時には、弾性接合体（６ｃ）は骨伝導スピーカ骨伝導スピーカ保持体（６ｂ）をマイク本体（２）側に押圧するように作用するため、その間に挟持された利用者の手の甲（Ｈ）と骨伝導スピーカ（６ａ）とが十分に密着されることになり、その骨に好適に歌唱アシスト情報を伝達できる。なお、本発明の弾性接合体は、実施例１および実施例２に示す板バネやコイル状バネなどのバネ類に限らず、例えば、形状復元機能を有した可とう性樹脂などであっても構わない。なお、この弾性接合体は、本発明においては必ずしも必要としないが、骨伝導の際に発生する振動のマイク本体への影響を緩衝する作用もあり、利用者の歌唱音声取得への悪影響を防止するため、骨伝導手段に付帯させる方が好ましい。
【００２１】
ここで、図３に示す、本発明のカラオケマイクのブロック構成図に基づき、本発明におけるカラオケマイクについて、さらに詳述する。
【００２２】
本実施例のカラオケマイク（１）はワイヤード型であって、従来のダイナミックマイクの構成要件である歌唱者の歌声の音圧を受けて振動する音圧受振部（９）、その振動を電気信号に変換して所定の変調処理を行う圧電変換・変調手段（１０）、さらに、接続ケーブルを介して当該カラオケ演奏装置から送信された利用者に対する歌唱アシスト情報（骨伝導情報）を骨伝導手段（６）に入力取得するための骨伝導情報インタフェイス（８）、および、これら手段の統括制御や所定のカラオケ演奏装置へ歌唱音声を転送するための転送制御をするなど、制御全般を司る中央制御手段（７）などから構成されている。なお、本発明では本実施例に示すワイヤード型マイクに限らず、勿論、赤外線送信機能（あるいはＦＭ波送信機能）を有するワイヤレス型マイクであっても構わない。
【００２３】
以下、本発明におけるカラオケシステムの好適な実施例を挙げ、本発明を詳述する。
【実施例３】
【００２４】
先ず、ガイドメロディを提供するカラオケシステムのブロック構成図を図４に示す。
本実施例のカラオケシステム（Ｓ１）は、カラオケ演奏装置を主たる構成要件とし、所定のカラオケ楽曲におけるガイドメロディを歌唱アシスト情報として利用者に提供するためのもので、ハードディスク装置、ＤＶＤ−ＲＯＭドライブ装置、ＣＤ−ＲＯＭドライブ装置などから構成されるデータ記憶部（１３）を備え、このデータ記憶部（１３）には楽曲別のカラオケ演奏データと共に、各楽曲に対応した歌唱アシスト情報（ガイドメロディデータなど）を多数蓄積している。なお、このカラオケ演奏データは、例えば、ＭＩＤＩデータなどの伴奏音楽の生成データと、カラオケ歌詞画像の生成起源となる歌詞描出データと、カラオケ伴奏音楽に合わせて歌唱されたバックコーラスの録音データなどから構成されている。
【００２５】
利用者はリモコン装置（１１）や操作パネル（１５）を用いて自分が歌いたい曲をリクエストすると、リモコン装置（１１）や操作パネル（１５）から入力されたリクエスト曲のＩＤコードは、リモコン装置（１１）からリモコン受信部（１４）を経由して、あるいは操作パネル（１５）から直接操作入力インタフェイス（１６）に入力されて、中央制御部（１２）に伝達される。この中央制御部（１２）はＣＰＵやＲＡＭ、ＲＯＭなどから構成されたシステムで、操作入力インタフェイス（１６）を始め、データ記憶部（１３）、シンセサイザ（１７）、ミキシングアンプ（１８）、ビデオ制御部（２０）などに接続されている。操作入力インタフェイス（１６）から入力された楽曲ＩＤコードは中央制御部（１２）に伝達され、中央制御部（１２）の指令により、操作入力インタフェイス（１６）から受信した楽曲ＩＤコードはＲＡＭなどの適宜な記憶部に記憶される。
【００２６】
中央制御部（１２）はデータ記憶部（１３）に記憶された楽曲ＩＤコードの内、優先順位の高いものから順に選出して、各楽曲ＩＤコードに対応するカラオケ演奏データをデータ記憶部（１３）から順次取得して逐次演奏処理する。この演奏処理で中央制御部（１２）はカラオケ演奏データ中の伴奏音楽の生成データに基づきシンセサイザ（１７）を駆動してカラオケ伴奏音楽を生成し、これをミキシングアンプ（１８）に出力する。また、中央制御部（１２）は、ＡＤＰＣＭデコーダ（２２）においてバックコーラスの録音データを再生処理して、リアルタイムでミキシングアンプ（１８）に出力する。
【００２７】
ミキシングアンプ（１８）は、シンセサイザ（１７）からの伴奏音楽の信号と、カラオケマイク（１）からの歌唱音声信号と、ＡＤＰＣＭデコーダ（２２）からのバックコーラス信号とを混合し、この混合信号を利用者が設定した音量に増幅後、スピーカ（１９）から出力する。また、中央制御部（１２）はカラオケ演奏データに付帯した歌詞描出データに基づき、伴奏音楽に同期する歌詞画像を生成し、ビデオ制御部（２０）にてこの歌詞画像の背景に背景映像を合成した後、ディスプレイ（Ｄ）に向けて映像出力すると共に、ゲインコントローラ（２４）からのガイドメロディ信号をカラオケマイク（１）の骨伝導手段（６）に出力する。
【００２８】
本実施例のカラオケシステム（Ｓ１）には音量検出部（２１）が備えられている。音量検出部（２１）は、カラオケマイク（１）からの歌唱音声信号を処理して、その音量を検出するための回路であり、カラオケマイク（１）からの歌唱音声信号を適宜な間隔でサンプリングしてデジタル変換する。そして、音量検出部（２１）のサンプル値は、歌唱音声の強弱レベルに応じた歌唱音声強弱情報として中央制御部（１２）に逐次取り込まれる。
【００２９】
中央制御部（１２）は音量検出部（２１）から取得した歌唱音声強弱情報を逐次検出する。この検出にあたって中央制御部（１２）は、音量検出部（２１）のサンプリングタイミングなどを考慮する。この検出により、歌唱音声の音量が所定の基準値に達しており、音程が外れていないことを示していると中央制御部（１２）が確認した場合、中央制御部（１２）は利用者が伴奏音楽の進行に合わせてきちんと歌唱しているものと判断して、ゲインコントローラ（２４）のゲイン設定値がゼロまたは最小の状態になるようにゲインコントローラ（２４）に指示を送るため、ガイドメロディはほとんど発せられない状態となる。ここで、所定の基準値とは、歌唱音声の音量が標準的な音量に十分に達しているかどうか調べるための基準であって、利用者にガイドメロディを聞かせるべきかどうかを定める基準である。なお、本実施例では、歌唱の誘導の信頼性を徹底させるため、音量検出部（２１）には音程の外れ程度も加味されるが、この検出は所定のアルゴリズムを用いた複雑な処理と難しい判断を強いられるため、必ずしも必要としない。
【００３０】
一方、所定の基準値にて歌唱音声が標準的な音量よりも下回っていることを示していると中央制御部（１２）が確認した場合、中央制御部（１２）は、その下回り差分が大きいほどゲインが大きくなるようにゲインコントローラ（２４）を調節する。これによって、骨伝導手段（６）の骨伝導スピーカからはガイドメロディが出力される。しかも、そのガイドメロディの音響出力レベルは、歌唱音声が標準的な音量よりもかけ離れていればかけ離れているほど大きな音量のガイドメロディが出力されることになる。さらに、これに加え、音程の面で、音程の外れが大きければ大きいほど大きな音量のガイドメロディが出力される。
【００３１】
中央制御部（１２）は、カラオケ演奏データの歌唱パートの演奏処理中に上記の検出を逐次行っており、これによりゲインコントローラ（２４）のゲイン設定値をリアルタイムで調節する。中央制御部（１２）は、検出と検出の間にはゲイン設定値をそのまま維持する。したがって、利用者が歌っている途中でメロディがわからなくなって伴奏音楽について行けなくなった時には、伴奏音楽に再び追従してきちんと歌えるようになるまで、ガイドメロディが丁度良い音量で骨伝導スピーカから音響出力されることになる。
【００３２】
このため、利用者が歌唱中に伴奏音楽について行けなくなったとしても、利用者は骨伝導手段（６）から出力されてきたガイドメロディを聞いて伴奏音楽の途中から、再度、歌い始めることができる。なお、中央制御部（１２）は、１曲のリクエスト楽曲が終了し、次のリクエスト楽曲について演奏処理を行う際は、ゲインコントローラ（２４）のゲイン設定値をゼロまたはゼロに近い最小の値に設定する。
【実施例４】
【００３３】
次に、模範ボーカル音声を提供するカラオケシステムのブロック構成図を図５に示す。本実施例のカラオケシステム（Ｓ２）は、カラオケ演奏装置を主たる構成要件とし、所定のカラオケ楽曲における模範ボーカル音声を歌唱アシスト情報として利用者に提供するためのものである。なお、その基本構成要件である、中央制御部（１２）、データ記憶部（１３）、リモコン装置（１１）、リモコン受信部（１４）、操作パネル（１５）、操作入力インタフェイス（１６）、シンセサイザ（１７）、ミキシングアンプ（１８）、スピーカ（１９）、ビデオ制御部（２０）、音量検出部（２１）、ディスプレイ（Ｄ）などの説明は上記実施例３と同様である。
【００３４】
本実施例のカラオケシステム（Ｓ２）には、音量検出部（２１）と共にレベル検出部（２３）が備えられている。このレベル検出部（２３）は、ＡＤＰＣＭデコーダ（２２）から出力された模範ボーカル音声信号を処理して模範ボーカル音声の音声レベルを検出するための回路であり、このレベル検出部（２３）はＡＤＰＣＭデコーダ（２２）からの音声信号を、音量検出部（２１）と同様に適宜な間隔でサンプリングしてデジタル変換する。レベル検出部（２３）のサンプリング結果は、模範ボーカル音声の強弱変化に対応する模範ボーカル音声強弱情報として中央制御部（１２）に逐次取り込まれる。
【００３５】
中央制御部（１２）は音量検出部（２１）から取得した歌唱音声強弱情報とレベル検出部（２３）から取得した模範ボーカル音声強弱情報とを逐次比較する。この比較にあたって中央制御部（１２）は、音量検出部（２１）とレベル検出部（２３）のサンプリングタイミングなどを考慮し、時間的条件や相対的条件などの条件を整合させる。ここで、音量検出部（２１）からの歌唱音声強弱情報とレベル検出部（２３）からの模範ボーカル音声強弱情報との間に多少のサンプリングタイミングのズレがあってもかまわない。この比較で中央制御部（１２）は、模範ボーカル音声に対する歌唱音声の強弱差分を算出する。
【００３６】
この算出により得られた強弱差分が、所定の比較基準にて歌唱音声が模範ボーカル音声に達していることを示していると中央制御部（１２）が確認した場合、中央制御部（１２）は利用者が伴奏音楽の進行に合わせてきちんと歌唱しているものと判断して、ゲインコントローラ（２４）のゲイン設定値がゼロまたは最小の状態になるようにゲインコントローラ（２４）に指示を送る。ここで所定の比較基準とは、歌唱音声の音量が標準的な音量に十分に達しているかどうか調べるための基準であって、利用者に模範ボーカル音声を聞かせるべきかどうかを定める基準である。この比較基準には、音量検出部（２１）の測定誤差範囲やレベル検出部（２３）の検出誤差範囲などが加味される。
【００３７】
一方、算出により得られた強弱差分が、所定の比較基準にて歌唱音声が模範ボーカル音声よりも下回っていることを示していると中央制御部（１２）が確認した場合、中央制御部（１２）は、その下回り差分が大きいほどゲインが大きくなるようにゲインコントローラ（２４）を調節する。これによって、骨伝導手段（６）の骨伝導スピーカからは模範ボーカル音声が出力される。しかも、その模範ボーカル音声の音響出力レベルは、歌唱音声が模範ボーカル音声の音量よりもかけ離れていればかけ離れているほど大きな音量の模範ボーカル音声が出力されることになる。
【００３８】
中央制御部（１２）は、カラオケ演奏データの歌唱パートの演奏処理中に上記の比較を逐次行っており、これにより算出した強弱差分に基づきゲインコントローラ（２４）のゲイン設定値をリアルタイムで調節する。中央制御部（１２）は比較と比較の間にはゲイン設定値をそのまま維持する。したがって、利用者が歌っている途中でメロディがわからなくなって伴奏音楽について行けなくなった時には、伴奏音楽に再び追従してきちんと歌えるようになるまで、模範ボーカル音声が丁度良い音量で骨伝導スピーカから音響出力されることになる。このため、利用者が歌唱中に伴奏音楽について行けなくなったとしても、利用者は骨伝導手段（６）から出力されてきた模範ボーカル音声を聞いて伴奏音楽の途中から、再度、歌い始めることができる。
【００３９】
以上、詳述したように、本発明のカラオケマイクおよびこれを用いたカラオケシステムによれば、人の骨を介して音声や楽音が伝達する技術である骨伝導技術をカラオケマイクに採用し、これを握る利用者の手の甲へ歌唱アシスト情報を好適に伝達できるため、歌唱している利用者本人に対しては自らの歌唱音声と歌唱アシスト情報とが紛らわしくなく、それぞれが明瞭に聞こえるようになり、効果的に歌唱アシストを受けることができ、他者に対しては利用者の歌唱音声だけを聞けるようにすることができる。
【図面の簡単な説明】
【００４０】
【図１】本発明の一実施例におけるカラオケマイクの構成例および使用例の説明図。
【図２】本発明の他の実施例におけるカラオケマイクの構成例および使用例の説明図。
【図３】本発明のカラオケマイクのブロック構成図。
【図４】ガイドメロディを提供するカラオケシステムのブロック構成図。
【図５】模範ボーカル音声を提供するカラオケシステムのブロック構成図。
【符号の説明】
【００４１】
１  カラオケマイク
２  マイク本体
６  骨伝導手段
６ａ  骨伝導スピーカ
６ｂ  骨伝導スピーカ骨伝導スピーカ保持体
６ｃ  弾性接合体
６ｄ  接続コード
１２  中央制御部
１７  シンセサイザ
１８  ミキシングアンプ
２１  音量検出部
２３  レベル検出部
２２  ＡＤＰＣＭデコーダ
２４  ゲインコントローラ
【図１】
2005242054.tif 000003
【図２】
2005242054.tif 000004
【図３】
2005242054.tif 000005
【図４】
2005242054.tif 000006
【図５】
2005242054.tif 000007